【手続補正書】
【提出日】平成19年9月10日(2007.9.10)
【手続補正１】
【補正対象書類名】明細書
【補正対象項目名】００１０
【補正方法】変更
【補正の内容】
【００１０】
図１は、ワイアレス通信システムの１実施形態である。遠隔局１０２Ａ−１０２Ｊは、１つ又はそれより多くの基地局１０４Ａ−１０４Ｇと通信するように通信システム１００全体にわたり分散されることが可能であり、複数の基地局１０４Ａ−１０４Ｇは、１つの基地局コントローラ（図示されず）と通信している。通信システム１００は、複数のセル１０６Ａ−１０６Ｇを具備することが可能であり、そこでは各セル１０６Ａ−１０６Ｇは、対応する基地局１０４Ａ−１０４Ｇによってサービスされることが可能である。遠隔局１０２Ａ−１０２Ｊのそれぞれは、各トラフィック・チャネル・フレームにおいて順方向リンク上で１つ又はそれより多くの基地局１０４Ａ−１０４Ｇと通信できる。例えば、基地局１０４Ａは、遠隔局１０２Ａ及び１０２Ｊに送信することが可能であり、基地局１０４Ｂは、遠隔局１０２Ｂ及び１０２Ｊに送信することが可能であり、基地局１０４Ｃは、遠隔局１０２Ｃ及び１０２Ｈに送信することが可能である。各基地局１０４Ａ−１０４Ｇは、任意の所定の瞬間に１つ又はそれより多くの遠隔局１０２Ａ−１０２Ｊにデータを送信することが可能である。その上、データ・レートは、可変であることが可能であり、受信している遠隔局１０２によって測定されたキャリア対干渉比（carrier-to-interference ratio）（Ｃ／Ｉ）及び必要とされるビット当りのエネルギー対ノイズ比に依存することがある。遠隔局１０２Ａ−１０２Ｊから基地局１０４Ａ−１０４Ｇへの逆方向リンク送信は、単純化のために図示されない。
【手続補正２】
【補正対象書類名】明細書
【補正対象項目名】００１４
【補正方法】変更
【補正の内容】
【００１４】
認可制御に関する１つの実施形態では、認可制御機能は、ＢＴＳ２０８に設置されているプロセッサ２１４に常駐することが可能である。パケット・スケジューラ２１１は、同様にＢＴＳ２０８内部のＤＳＰ２１３に常駐することが可能であり、チャネル素子２２０と情報を交換する。データは、その後、データ待ち行列２１８からのデータ・パケットで、チャネル素子２２０に送られることが可能である。順方向リンクにおいて、データ・パケットは、１つのフレームの中で宛て先遠隔局２１０に送信されようとしているデータの一定量を呼ぶことが可能である。各データ・パケットに対して、チャネル素子２２０は、必要な制御フィールドを挿入することが可能である。１つの実施形態では、チャネル素子ＣＲＣ（Cyclic Redundancy Code（周期的冗長符号））は、データ・パケット及び制御フィールドを符号化することが可能であり、一組のコード・テール・ビットを挿入することが可能である。データ・パケット、制御フィールド、ＣＲＣパリティ・ビット、及びコード・テール・ビットは、フォーマット化されたパケットを具備する。チャネル素子２２０は、フォーマット化されたパケットを符号化することが可能であり、そしてそれから符号化されたパケット内部のシンボルをインターリーブする（又は再配列する）ことが可能である。インターリーブされたパケットは、ロングＰＮ符号を用いてスクランブルされ、ウォルシュ・カバーを用いてカバーされ、そしてショートＰＮ．サブＩ．符合及びショートＰＮ．サブ．Ｑ符号を用いて拡散されることが可能である。拡散されたデータは、その後、高周波（ＲＦ）ユニット２２２に供給されることが可能であり、ＲＦユニット２２２は、信号をカドラチャ変調し、フィルタし、そして増幅する。順方向リンク信号は、それから順方向リンク２５０上にアンテナ２２４を経由して無線で送信されることが可能である。
【手続補正３】
【補正対象書類名】明細書
【補正対象項目名】００１５
【補正方法】変更
【補正の内容】
【００１５】
遠隔局２１０において、順方向リンク信号は、アンテナ２６０によって受信され、フロント・エンド２６２内部の受信機（図示されず）に配信されることが可能である。受信機は、信号をフィルタし、増幅し、カドラチャ復調し、そして量子化する。ディジタル化された信号は、その後、復調器（ＤＥＭＯＤ）に供給されることが可能である。ＤＥＭＯＤ２６４では、信号は、ショートＰＮ．サブＩ．符号及びショートＰＮ．サブ．Ｑ符号を用いて逆拡散され、ウォルシュ・カバーを用いて逆カバーされ、そしてロングＰＮ符号を用いて逆スクランブルされることが可能である。復調されたデータは、それからデコーダ２３４に供給されることが可能である。デコーダ２６６は、基地局２０８において行われた信号処理機能の逆、具体的に逆インターリービング、デコーディング、及びＣＲＣチェック機能、を実行することが可能である。復号化されたデータは、その後、データ・シンク２６８に供給されることが可能である。
【手続補正４】
【補正対象書類名】明細書
【補正対象項目名】００１６
【補正方法】変更
【補正の内容】
【００１６】
通信システム２００は、逆方向リンク２３８上のデータ送信及びメッセージ送信をサポートする。送られようとしているデータは、データ・ソース２７０中に駐在することが可能である。遠隔局２１０の内部で、コントローラ２７６は、エンコーダ２７２にデータ又はメッセージを配信することによってデータ送信又はメッセージ送信を処理することが可能である。１つの実施形態では、エンコーダ２７２は、ブランク−アンド−バースト信号送信（blank-and-burst signaling）データ・フォーマットに整合するメッセージをフォーマット化することが可能である。エンコーダ２７２は、それから一組のＣＲＣビットを発生し、添付することができ、一組のコード・テール・ビットを添付し、データ及び添付されたビットを復号化し、そして復号化されたデータ内部のシンボルを再配列することが可能である。インターリーブされたデータは、その後、変調器（ＭＯＤ）２７４に供給されることが可能である。
【手続補正５】
【補正対象書類名】明細書
【補正対象項目名】００１７
【補正方法】変更
【補正の内容】
【００１７】
変調器２７４は、複数の実施形態で与えられることが可能である。第１の実施形態では、インターリーブされたデータは、遠隔局２１０に割り当てられたデータ・チャネルを識別するウォルシュ符号を用いてカバーされ、ロングＰＮ符号を用いて拡散され、そしてショートＰＮ符号を用いてさらに拡散される。拡散されたデータは、その後、フロント・エンド２６２内部の送信機（図示されず）に供給されることが可能である。送信機は、変調し、フィルタし、増幅し、そして逆方向リンク２５２上にアンテナ２６０を経由して無線で逆方向リンク信号を送信することが可能である。
【手続補正６】
【補正対象書類名】明細書
【補正対象項目名】００２０
【補正方法】変更
【補正の内容】
【００２０】
認可制御に関する１つの実施形態では、様々な個別の通信からの複数のサービス要求、すなわち、複数の通信フローが、異なる水準のサービスの品質（Quality of Service）（ＱｏＳ）を表すことが可能であり、異なるＱｏＳは、順方向リンク上の複数のリソース要求に変換されることが可能である。ＱｏＳスケジューラ、すなわち、パケット・スケジューラ２１１（図２）は、絶対優先順位を用いて、例えば、ＡＦフローのような第２優先順位に対して、例えば、ＥＦフローのような第１優先順位を割り当てられたフローを提供することが可能である。これは、ＥＦパケットが待ち行列に到着するとすぐにＥＦパケットを送信するように試みるパケット・スケジューラ２１１を持つことによって達成されることが可能である。それゆえ、ＥＦフローの遅延境界が短すぎない限り、中心は、遅延要求を厳密に考慮することなしにＥＦフローの認可制御の際のレート要求に維持されることが可能である。パケット・スケジューラ２１１のための合理的な時間余裕を確保するために、現在、１００ｍｓが通常のＩＰ（Internet Protocol）を介した音声（voice-over-IP）フローに対して使用されるので、任意のＥＦフローの遅延境界（基地局において受信された時刻と遠隔局において受信された時刻との間の時間）が、例えば、１００ｍｓより短くないことは、規定されることが可能である。それゆえ、認可制御が関心事である場合には、ＥＦ及びＡＦの両者からのＱｏＳ要求は、レートに基づくことが可能である。
【手続補正７】
【補正対象書類名】図面
【補正対象項目名】図５
【補正方法】変更
【補正の内容】
【図５】
2007521759.tif 000001